(57)【要約】【課題】必要に応じて加湿を行うことができる加湿機能付空気清浄機を提供することを課題とする。【解決手段】吸気口４と排気口５とを有する本体ケース３と、本体ケース３内に設けられ、吸気口４と排気口５とを連通する空気流路６と、空気流路６内に配置されたフィルター７と、フィルター７の下流側に配設され、吸気口４から本体ケース３内に吸気した空気をフィルター７を介して排気口５から排気する送風手段８と、本体ケース３内に設けられ、フィルター７により浄化された空気の一部を選択的に取り込む加湿流路９と、加湿流路９に配置された加湿手段１０と、加湿手段１０により加湿された空気を本体ケース３外に吹出す吹出口１１とを備える。【選択図】        図３
2005061655.tif 000002
【特許請求の範囲】
【請求項１】
吸気口と排気口とを有する本体ケースと、本体ケース内に設けられ、吸気口と排気口とを連通する空気流路と、空気流路内に配置されたフィルターと、フィルターの下流側に配置され、吸気口から本体ケース内に吸気した空気をフィルターを介して排気口から排気する送風手段と、本体ケース内に設けられ、フィルターにより浄化された空気の一部を選択的に取り込む加湿流路と、加湿流路に配置された加湿手段と、加湿手段により加湿された空気を本体ケース外に吹出す吹出口とを備えたことを特徴とする加湿機能付空気清浄機。
【請求項２】
前記送風手段は、羽根車及びケーシングと羽根車を駆動するモータとから構成されると共に、加湿流路は、ケーシングの外側に形成され、ケーシングの一部を開閉自在な案内板で構成すると共に、案内板を開閉させる駆動部を備え、駆動部の作動により案内板がケーシングの一部を開放することによりケーシング内と加湿流路とを連通させたことを特徴とする請求項１記載の加湿機能付空気清浄機。
【請求項３】
前記本体ケースに湿度を検出する湿度センサを設け、湿度センサの出力に基づいて、加湿流路への空気の取り込みを調整する制御部を備えたことを特徴とする請求項１または請求項２記載の加湿機能付空気清浄機。
【請求項４】
前記本体ケースは、壁に装着可能に構成されていると共に、加湿流路の吹出口は、本体ケース前面の下方に設けられていることを特徴とする請求項１乃至請求項３の何れか１項に記載の加湿機能付空気清浄機。
【請求項５】
前記加湿流路の吹出口は、本体ケースの側面に設けられていることを特徴とする請求項１乃至請求項３の何れか１項に記載の加湿機能付空気清浄機。
【請求項６】
前記加湿手段は、加湿フィルターと、加湿フィルターを湿らすために加湿フィルターに水を供給する水タンクとから構成され、水タンクを本体ケースの底部に配置したことを特徴とする請求項１乃至請求項５の何れか１項に記載の加湿機能付空気清浄機。
【請求項７】
加湿流路の断面積より加湿フィルターの投影面積を小さく形成し、加湿流路と加湿フィルター間に隙間を設けたことを特徴とする請求項６記載の加湿機能付空気清浄機。
【請求項８】
前記加湿フィルターの上方に隙間を設けたことを特徴とする請求項７記載の加湿機能付空気清浄機。
【発明の詳細な説明】
【技術分野】
【０００１】
本発明は、空気を浄化しながら加湿することができる加湿機能付空気清浄機に関する。
【背景技術】
【０００２】
この種の加湿機能付空気清浄機においては、空気流路の上流側に高性能フィルターを有する空気清浄部、その下流側に加湿ユニットを有する加湿部を配置し、吸込口から本体ケース内に取り込んだ空気を高性能フィルターにより浄化した後、加湿ユニットにより加湿して吹出口から本体ケース外に排出するものが知られている（例えば、特許文献１参照）。
【０００３】
しかしながら、周囲の湿度に関係なく加湿ユニットにより加湿されるため、周囲の湿度が高い場合には、吹出口から本体ケース外に排出される湿った空気により周囲をべたつかせてしまう欠点があった。また、周囲をべたつかせてしまうことを防止するために運転を停止させると、空気の浄化を行うことができなくなる欠点があった。
【特許文献１】特開平５−２９６５０７号公報
【発明の開示】
【発明が解決しようとする課題】
【０００４】
本発明はこのような課題を解決するためになされたものであり、必要に応じて加湿を行うことができる加湿機能付空気清浄機を提供することを課題とする。
【課題を解決するための手段】
【０００５】
上記課題を解決するための第１の手段は、吸気口と排気口とを有する本体ケースと、本体ケース内に設けられ、吸気口と排気口とを連通する空気流路と、空気流路内に配置されたフィルターと、フィルターの下流側に配置され、吸気口から本体ケース内に吸気した空気をフィルターを介して排気口から排気する送風手段と、本体ケース内に設けられ、フィルターにより浄化された空気の一部を選択的に取り込む加湿流路と、加湿流路に配置された加湿手段と、加湿手段により加湿された空気を本体ケース外に吹出す吹出口とを備えたことを特徴とする。
【０００６】
上記課題を解決するための第１の手段において、前記送風手段は、羽根車及びケーシングと羽根車を駆動するモータとから構成されると共に、加湿流路は、ケーシングの外側に形成され、ケーシングの一部を開閉自在な案内板で構成すると共に、案内板を開閉させる駆動部を備え、駆動部の作動により案内板がケーシングの一部を開放することによりケーシング内と加湿流路とを連通させてもよい。
【０００７】
上記課題を解決するための第１の手段において、前記本体ケースに湿度を検出する湿度センサを設け、湿度センサの出力に基づいて、加湿流路への空気の取り込みを調整する制御部を備えてもよい。
【０００８】
上記課題を解決するための第１の手段において、前記本体ケースは、壁に装着可能に構成されていると共に、加湿流路の吹出口は、本体ケース前面の下方に設けてもよい。
【０００９】
上記課題を解決するための第１の手段において、前記加湿流路の吹出口は、本体ケースの側面に設けてもよい。
【００１０】
上記課題を解決するための第１の手段において、前記加湿手段は、加湿フィルターと、
加湿フィルターを湿らすために加湿フィルターに水を供給する水タンクとから構成され、水タンクを本体ケースの底部に配置することが好ましい。
【００１１】
そして、加湿流路の断面積より加湿フィルターの投影面積を小さく形成し、加湿流路と加湿フィルター間に隙間を設けることが好ましい。
【００１２】
さらに、前記加湿フィルターの上方に隙間を設けることが好ましい。
【発明の効果】
【００１３】
本発明の請求項１の構成によれば、浄化された空気を必要に応じて加湿して本体ケース外に排気させることができる等の効果を奏する。
【００１４】
本発明の請求項２の構成によれば、簡単な構成により、浄化された空気を必要に応じて加湿して本体ケース外に排出させることができる等の効果を奏する。
【００１５】
本発明の請求項３の構成によれば、浄化された空気を周囲の湿度に応じて自動的に加湿して本体ケース外に排出させることができる等の効果を奏する。
【００１６】
本発明の請求項４の構成によれば、壁に掛けて使用した場合でも、壁を濡らすことなく室内を加湿することができる等の効果を奏する。
【００１７】
本発明の請求項５の構成によれば、隙間に入れて使用した場合でも、周囲の物を濡らすことなく室内を加湿することができる等の効果を奏する。
【００１８】
本発明の請求項６の構成によれば、重量物である水タンクを本体ケースの底部に配置しているため、本体ケースの安定性を向上させることができる等の効果を奏する。
【００１９】
本発明の請求項７の構成によれば、加湿フィルターの周縁に隙間が形成されるため、送風手段の加湿フィルターによる風の流れの抵抗を隙間により解消することができ、空気を浄化するために使用する送風手段により吹出口から加湿された空気を滑らかに吹出すことができる等の効果を奏する。
【００２０】
本発明の請求項８の構成によれば、加湿フィルターの上方に隙間が形成されるため、送風手段の加湿フィルターによる風の流れの抵抗を隙間により解消することができ、空気を浄化するために使用する送風手段により吹出口から加湿された空気を滑らかに吹出すことができる。また、加湿フィルターからの蒸発により加湿フィルターの上方に上昇した水蒸気を、加湿フィルターの上方を通過する空気に取り込んで吹出口まで運ぶことができ、加湿効率を向上させることができる等の効果を奏する。
【発明を実施するための最良の形態】
【００２１】
本発明の加湿機能付空気清浄機に関する最良の第１実施形態を図１乃至図５に基づいて以下に詳述する。
【００２２】
本発明の加湿機能付空気清浄機は、前カバー１と後カバー２とからなる本体ケース３と、前カバー１に形成された吸気口４と、後カバー２に形成された排気口５と、本体ケース３内に設けられ、吸気口４と排気口５とを連通する空気流路６と、空気流路６内に配置されたフィルター７と、フィルター７の下流側に配置され、吸気口４から本体ケース３内に吸気した空気をフィルター７を介して排気口５から排気する送風手段８と、本体ケース３の下方に配置され、フィルター７により浄化された空気流路６の空気の一部が選択的に取り込まれる加湿流路９と、加湿流路９に配置された加湿手段１０と、前カバー１に形成さ
れ、加湿手段１０により加湿された空気を外部に吹出す吹出口１１とから構成されている（図１参照）。
【００２３】
前カバー１は、後カバー２に着脱自在に装着できるようになっている。空気を浄化するフィルター７は、吸気口４の下流側の本体ケース３内に着脱自在に装着されており、前カバー１を取り外すとフィルター７が交換できるようになっている。送風手段８は、羽根車１２及びそのケーシング１３と羽根車１２を駆動するモータ１４とから構成され、フィルター７より下流側の本体ケース３内に固定されている。ケーシング１３は上方を開放しており、後カバー２の上方に形成された排気口５を介して浄化された空気は本体ケース３外に排気される。
【００２４】
下方のケーシング１３の一部は、軸３０を回転中心として回動自在に支持された案内板１５で形成されている。案内板１５はリンク１６を介してリンク駆動用モータ１７に連結されており、リンク駆動用モータ１７の駆動により案内板１５はケーシング１３を閉塞する位置（図２参照）と、ケーシング１３を開放する位置（図３参照）との間を回動するようになっている。
【００２５】
案内板１５がケーシング１３を開放する位置まで回動すると、ケーシング１３内は本体ケース３の下方に形成された加湿流路９に連通する。加湿流路９には、加湿フィルター１８と水タンク１９とから構成された加湿手段１０が配置されている。加湿フィルター１８は吸湿性のよいポリエステル素材で形成され、トレー２０内に立設されている。トレー２０内には水タンク１９から水が供給され、加湿フィルター１８を湿らせるようになっている。加湿流路９の断面積より加湿フィルター１８の投影面積を小さく形成しており、加湿流路９と加湿フィルター１８の上方及び側方間には隙間が設けられている（図１、図２参照）。本体ケース３前面の下方には加湿手段１０により加湿された空気を吹出す吹出口１１が形成されている。
【００２６】
後カバー２の上方には一対の壁掛用突部２１が形成されており、図示しない壁に取付けた金具に壁掛用突部２１を引っ掛けることにより本装置を壁掛けで使用することができるようになっている。後カバー２の下方には壁掛用突部２１と略同形状のクッション材２２が貼り付けられており、本装置を壁に掛けた際に、本装置の上方が前方に傾くのを防止するようになっている（図１参照）。
【００２７】
送風手段８より下流の空気流路６には湿度センサ２３が配置されている。前カバー１の上方には制御基板２４が配置されており、制御基板２４には制御部２５が内蔵されている。制御部２５は図５に示す如く、入力側に本装置を操作するための操作スイッチ２６と湿度センサ２３が接続され、出力側に運転状態を表示する表示部２７、モータ１４及びリンク駆動用モータ１７が接続されている。
【００２８】
このように構成された加湿機能付空気清浄機では、操作スイッチ２６を操作するとモータ１４が駆動を開始すると共に、羽根車１２が回転を始める。羽根車１２が回転することにより室内の空気は吸気口４を介して本体ケース３内に取り込まれ、フィルター７を通過する際に空気は浄化され、湿度センサ２３を通過し排気口５を介して本体ケース３外に排気される。湿度センサ２３を通過する空気はフィルター７により浄化されているため、湿度センサ２３に埃等が堆積することがなく湿度センサ２３の誤検出が防止できる。
【００２９】
湿度センサ２３が、湿度センサ２３を通過する空気の湿度が予め設定された所定の湿度を下回っていることを検出した際には、制御部２５はリンク駆動用モータ１７を駆動させて案内板１５をケーシング１３を開放する位置に回動させる。そうすると、フィルター７
を通過して浄化された空気の一部は羽根車１２の風圧により案内板１５の開放部を介して加湿流路９に流入し、加湿フィルター１８を通過する際に加湿され吹出口１１を介して本体ケース３外に吹出される。この結果、周囲の湿度に応じた加湿を行うことができる。また、湿度センサ２３が所定の湿度を検出した際には、制御部２５はリンク駆動用モータ１７を駆動させて案内板１５をケーシング１３を閉塞する位置に回動させて加湿を停止させる。
【００３０】
加湿流路９に取り込まれる空気は、フィルター７により浄化されているため、加湿フィルター１８やトレー２０内に埃が堆積することはなく、清浄な加湿風を吹出口１１から放出させることができる。
【００３１】
空気を浄化するフィルター７に空気を通過させるための羽根車１２を、加湿流路９に流入した空気を加湿するための送風手段と兼用しているため、加湿流路９に流入した空気を押し出して加湿フィルター１８を通過させる構成になっている。従って、加湿フィルター１８においての圧力損失が大きく、効率よく空気を加湿フィルター１８を通過させることは困難となるため、大風量の羽根車を使用するか、加湿流路９専用の羽根車を使用する必要が生じる。
【００３２】
これに対して、第１実施形態では、加湿フィルター１８と加湿流路９との間に隙間を設けているため、加湿フィルター１８の圧力損失による空気の流れの障害をこの隙間に風を流すことにより解消することができる。加湿フィルター１８を通過することなく隙間を通過する空気の量が増加しても、隙間を通過する空気に加湿フィルター１８から蒸発する水蒸気を取り込むことができるため、全ての空気が加湿フィルター１８を通過しなくても加湿することができる。
【００３３】
また、加湿フィルター１８の上方に隙間を設けているため、加湿フィルター１８からの蒸発により加湿フィルター１８の上方に上昇した水蒸気を、加湿フィルター１８の上方を通過する空気に取り込んで吹出口１１まで運ぶことができ、加湿効率を向上させることができる
また、空気を浄化するフィルター７に空気を通過させるための羽根車１２を、加湿手段１０により空気を加湿するための送風手段と兼用することができ、構成を簡素化することができる。
【００３４】
また、吹出口１１を本体ケース３前面の下方に形成しているため、本装置を壁に掛けて使用した場合でも、壁を湿らせることなく室内を加湿することができる。また、加湿フィルター１８に水を供給するための重量物である水タンク１９を本体ケース３の下方に配置しているため、本装置の安定性を向上させることができる。また、水タンク１９を加湿流路９の近傍に配置することができるため、加湿流路９の構成を簡素化することができる。
【００３５】
水タンク１９への水の補給や加湿フィルタ１８を洗浄する際には、本体ケース３の側面に設けた取出口３１よりトレー２０ごと引き出して行う。
【００３６】
尚、第１実施形態では、湿度センサ２３の出力に基づいて、制御部２５が自動的にフィルター７を通過して浄化された空気の一部を加湿流路９に取り込むように構成したが、これに限定されるものではない。例えば、スイッチ操作によりフィルター７を通過して浄化された空気の一部を加湿流路９に取り込むように構成してもよい。
【００３７】
また、第１実施形態では、ケーシング１３から加湿流路９に空気を取り込む構成にしたが、これに限定されるものではない。例えば、送風手段８より下流の空気流路６に開閉機構を設け、そこから加湿流路９に空気を取り込むようにしてもよい。
【００３８】
図６乃至図９は本発明の第２実施の形態を示している。第１実施形態と同一部品については同一符号を付して説明を省略する。
【００３９】
第１実施形態では、吹出口１１を本体ケース３前面の下方に形成したが、第２実施形態では、吹出口１１を本体ケース３の側面に形成した構成になっている。この構成により本装置を隙間に入れて使用した場合でも、周囲の物を湿らせることなく部屋を加湿することができる。また、第２実施形態ではトレー２０を本体ケース３の後面に設けた取出口３１より取り出す構造になっている。
【図面の簡単な説明】
【００４０】
【図１】本発明を実施するための最良の第１実施形態の加湿機能付空気清浄機の側断面図である。
【図２】同装置を後方から見た縦断面図で、案内板がケーシングを閉塞している状態を示す。
【図３】同装置を後方から見た縦断面図で、案内板がケーシングを開放している状態を示す。
【図４】同装置の正面図である。
【図５】同装置の制御部を示すブロック図である。
【図６】本発明を実施するための最良の第２実施形態の加湿機能付空気清浄機の側断面図である。
【図７】同装置を後方から見た縦断面図で、案内板がケーシングを閉塞している状態を示す。
【図８】同装置を後方から見た縦断面図で、案内板がケーシングを開放している状態を示す。
【図９】同装置の側面図である。
【符号の説明】
【００４１】
３  本体ケース
４  吸気口
５  排気口
６  空気流路
７  フィルター
８  送風手段
９  加湿流路
１０加湿手段
１１吹出口
１５案内板
１７リンク駆動用モータ（駆動部）
２３温度センサ
【図１】
2005061655.tif 000003
【図２】
2005061655.tif 000004
【図３】
2005061655.tif 000005
【図４】
2005061655.tif 000006
【図５】
2005061655.tif 000007
【図６】
2005061655.tif 000008
【図７】
2005061655.tif 000009
【図８】
2005061655.tif 000010
【図９】
2005061655.tif 000011